(57)【要約】【課題】太陽電池パネルの一部が被覆された場合でも、適正に有機ＥＬ照明駆動用の電力を発電可能な太陽電池パネルを備えた建築物およびその屋根部材を提供する。【解決手段】建築物は、１以上の支柱と、前記支柱によって支持される屋根であって、幅方向及び長手方向を有し、夫々が幅方向を前記屋根の長手方向に一致させて直列配置される複数の屋根基板を含み、さらに、前記各屋根基板の長手方向の少なくとも一方の端部が前記屋根基板の中央部より低い位置に設置される屋根と、前記複数の屋根基板の少なくとも一つの上面側に取り付けられる太陽電池パネルと、前記複数の屋根基板の少なくとも一つの下面側に取り付けられる有機ＥＬ照明パネルとを備え、前記太陽電池パネルは、直列接続された複数の太陽電池セルで夫々形成された複数の太陽電池セル系列が並列接続されてなり、前記複数の太陽電池セル系列の夫々が前記屋根基板の短手方向に配置されていることを特徴とする。【選択図】図１
2012062737.tif 000002
【特許請求の範囲】
【請求項１】
１以上の支柱と、
前記支柱によって支持される屋根であって、幅方向及び長手方向を有し、夫々が幅方向を前記屋根の長手方向に一致させて直列配置される複数の屋根基板を含み、さらに、前記各屋根基板の長手方向の少なくとも一方の端部が前記屋根基板の中央部より低い位置に設置される屋根と、
前記複数の屋根基板の少なくとも一つの上面側に取り付けられる太陽電池パネルと、
前記複数の屋根基板の少なくとも一つの下面側に取り付けられる有機ＥＬ照明パネルとを備え、
前記太陽電池パネルは、直列接続された複数の太陽電池セルで夫々形成された複数の太陽電池セル系列が並列接続されてなり、前記複数の太陽電池セル系列の夫々が前記屋根基板の短手方向に配置されている
ことを特徴とする屋根を有する建築物。
【請求項２】
前記屋根基板と前記有機ＥＬ照明パネルとの間に介装される、前記太陽電池パネルの発電電力で充電され、前記有機ＥＬ照明パネルに駆動用電力を供給するポリマー電池をさらに含む
請求項１に記載の建築物。
【請求項３】
幅方向及び長手方向を有し、幅方向を屋根の長手方向に一致させて複数個直列配置される屋根部材であって、
前記幅方向及び前記長手方向を有する屋根基板と、
前記屋根基板の上面側に取り付けられた太陽電池パネルと、
前記屋根基板の下面側に取り付けられた有機ＥＬ照明パネルとを含み、
前記太陽電池パネルは、直列接続された複数の有機太陽電池セルで夫々形成された複数の有機太陽電池系列が並列接続されてなり、前記複数の有機太陽電池セル系列の夫々が前記屋根基板の短手方向に配置されている
ことを特徴とする屋根部材。
【請求項４】
前記屋根基板と前記有機ＥＬ照明パネルとの間に介装される、前記太陽電池パネルの発電電力で充電され、前記有機ＥＬ照明パネルに駆動用電力を供給するポリマー電池をさらに含む
請求項３に記載の屋根部材。
【発明の詳細な説明】
【技術分野】
【０００１】
本発明は、太陽電池及び有機エレクトロルミネッセンス（有機ＥＬ）照明を備えた建築物及びその屋根部材に関する。
【背景技術】
【０００２】
従来、アルミニウムのような金属製の支柱によって屋根を支持する簡易構造の建築物として、カーポート（自動車置場），サイクルポート（自転車置場），バス停や通路のシェルター、などが知られている。これらの屋根材としては、一般に、ポリカーボネート（ＰＣ）が使用される。また、所定の防火基準の遵守が要求される地域では、屋根材として、ＰＣの代わりにアルミニウムが用いられている。
【０００３】
一方、太陽電池の分野では、発電層に有機半導体材料を用いた有機太陽電池（有機薄膜太陽電池）が知られている。さらに、光源の一つとして、有機ＥＬと呼ばれる発光現象を利用した照明機器が開発されている。
【０００４】
従来技術としては、太陽電池セルと、該太陽電池セルに積層し、面発光手段を有する導光板と、前記導光板の側面に配置した発光ダイオードと、前記太陽電池セルにより発電した電力を蓄電するバッテリとを有し、該バッテリに蓄電された電力により前記発光ダイオードを発光させ、前記導光板に導き前記導光板を面発光させる照明手段付き太陽電池モジュールがある（例えば、特許文献１）。
【０００５】
太陽電池を用いた建物の照明システムとしては、建物の屋根に配設された太陽電池パネルと、太陽電池パネルと給電線との間に設けられ太陽電池パネルからの直流電力を所定直流電力に変換して給電線に供給可能な制御装置と、建物内部又は外部の適宜位置に配置されて給電線に接続される複数のランプユニットを備え、複数のランプユニットが備える１つ又は複数のランプは、蛍光ランプ，ＬＥＤ（発光ダイオード）ランプ，有機ＥＬランプのうちの何れかであるものがある（例えば、特許文献２）。
【先行技術文献】
【特許文献】
【０００６】
【特許文献１】特開２００６−１０７８６１号公報
【特許文献２】特開２０１０−４９９４０号公報
【発明の概要】
【発明が解決しようとする課題】
【０００７】
上述した簡易構造建築物に対し、夜間利用時の利便性を向上すべく、照明機器を設置することが考えられる。照明機器は、軽量で、電力発光効率が高く拡散光を広範囲に亘って照射し得るものが好ましい。また、照明機器の電源として、太陽電池を用いれば、ＣＯ2
の発生を抑えた車庫，自転車置場，バス停や通路の照明が可能となるが、上記簡易構造建築物に太陽電池及び照明機器を適用するという課題は見いだされていない。さらに、簡易構造建築物の屋根に有機太陽電池を設置するに当たっては、太陽電池の発電効率の向上が求められる。
【０００８】
本発明は、上記課題に鑑みなされたものであり、太陽電池パネルの一部が被覆された場合でも、適正に有機ＥＬ照明駆動用の電力を発電可能な太陽電池パネルを備えた建築物およびその屋根部材を提供することを目的とする。
【課題を解決するための手段】
【０００９】
本発明は、上記した目的を達成するため、以下の手段を採用する。
【００１０】
すなわち、本発明の態様の一つは、１以上の支柱と、
前記支柱によって支持される屋根であって、幅方向及び長手方向を有し、夫々が幅方向を前記屋根の長手方向に一致させて直列配置される複数の屋根基板を含み、さらに、前記各屋根基板の長手方向の少なくとも一方の端部が前記屋根基板の中央部より低い位置に設置される屋根と、
前記複数の屋根基板の少なくとも一つの上面側に取り付けられる太陽電池パネルと、
前記複数の屋根基板の少なくとも一つの下面側に取り付けられる有機ＥＬ照明パネルとを備え、
前記太陽電池パネルは、直列接続された複数の太陽電池セルで夫々形成された複数の太陽電池セル系列が並列接続されてなり、前記複数の太陽電池セル系列の夫々が前記屋根基板の短手方向に配置されている
ことを特徴とする屋根を有する建築物である。
【００１１】
本発明の態様の一つによると、各屋根基板の上面側に取り付けられる太陽電池パネルは、複数の太陽電池セル系列を有し、各太陽電池セル系列は屋根部材の幅方向、すなわち屋根の長手方向に配置される。一方、屋根部材の長手方向の少なくとも一方の端部は、屋根部材の中央部より低い位置に配置される。これによって、屋根部材の長手方向の端部付近の上面には、屋根への落下物、例えば、雪や落ち葉が滞留する可能性がある。例えば雪は一部が溶けて、落ち葉等は雨水等で流れて低い部分に流れ、このとき、落下物が太陽電池パネル上の一部で滞留すると、その部分には太陽光が当たらず、太陽電池セルによる発電が行われなくなる。
【００１２】
ここで、仮に太陽電池セル系列が屋根基板の長手方向に配置されていると、屋根基板の幅方向全体に亘って太陽電池セル系列の一部が落下物で被覆されたとき、太陽電池セル系列の被覆された部分は、発電を行わず抵抗として作用するので、太陽電池パネルによる発電の妨げになる。これに対し、本発明では、太陽電池セル系列が屋根基板の幅方向に配置されているので、同様の状態で太陽電池パネルの一部が落下物で被覆されても、落下物により発電を阻害されるのは一部の太陽電池セル系列のみである。よって、落下物による発電阻害を回避することができる。
【００１３】
また、本発明の他の態様は、幅方向及び長手方向を有し、幅方向を屋根の長手方向に一致させて複数個直列配置される屋根部材であって、
前記幅方向及び前記長手方向を有する屋根基板と、
前記屋根基板の上面側に取り付けられた太陽電池パネルと、
前記屋根基板の下面側に取り付けられた有機ＥＬ照明パネルとを含み、
前記太陽電池パネルは、直列接続された複数の太陽電池セルで夫々形成された複数の太陽電池系列が並列接続されてなり、前記複数の太陽電池セル系列の夫々が前記屋根基板の短手方向に配置されている
ことを特徴とする屋根部材である。
【００１４】
上記建築物及び屋根部材は、屋根基板と有機ＥＬ照明パネルとの間に介装されるポリマー電池をさらに含むことができる。
【発明の効果】
【００１５】
本発明によれば、太陽電池パネルの一部が被覆された場合でも、適正に有機ＥＬ照明駆動用の電力を発電可能な太陽電池パネルを備えた建築物およびその屋根部材を提供することができる。
【図面の簡単な説明】
【００１６】
【図１】図１（Ａ）は、本発明の実施形態に係る建築物の平面図を模式的に示し、図１（Ｂ）は、図１（Ａ）に示した建築物の正面図を模式的に示す。
【図２】図２は、上記した屋根を構成するフレームに取り付けられる屋根部材の構成例を示す。
【図３】図３は、太陽電池パネルの断面構造を模式的に示す。
【図４】図４は、太陽電池パネルの構成例を示す図である。
【図５】図５は、屋根基板に取り付けられた太陽電池パネルを模式的に示す図である。
【図６】図６（Ａ）は、図５に示した屋根部材に取り付けられた太陽電池パネルの作用説明図である。図６（Ｂ）は、図６（Ａ）の比較例を示す。
【図７】図７は、有機ＥＬ照明パネルを発光させる駆動回路の構成例を示す。
【図８】図８（Ａ）は、シェルターとしての建築物の平面図を模式的に示し、図８（Ｂ）は、建築物の正面図を模式的に示す。
【発明を実施するための形態】
【００１７】
以下、図面を参照して本発明の実施形態について説明する。実施形態の構成は例示であり、本発明は実施形態の構成に限定されない。
【００１８】
＜実施形態１＞
＜＜建築物の構成＞＞
図１（Ａ）は、本発明の実施形態に係る建築物の平面図を模式的に示し、図１（Ｂ）は、図１（Ａ）に示した建築物の正面図を模式的に示す。図１（Ａ）及び図１（Ｂ）に示す建築物１０は、カーポート（自動車置場）又は自転車ポート（自転車置場）として利用される場所に、自動車や自転車の雨よけとして設置される簡易構造の建築物である。
【００１９】
図１（Ａ）及び図１（Ｂ）において、建築物１０は、支柱１１と、支柱１１によって支持される屋根１２とを備える。屋根１２を支える支柱１１の数は、屋根１２を適正に支持できる限り、１以上の数から適宜選択可能である。なお、図１Ｂでは、支柱１１の地中に埋設する部分の図示は省略されている。
【００２０】
屋根１２は、短手方向Ｘと長手方向Ｙとを有する平面矩形に形成されている。屋根１２は、長手方向フレーム１３Ａ，１３Ｂと、短手方向フレーム１４Ａ，１４Ｂと、複数の中間フレーム１５とを含んでいる。
【００２１】
長手方向フレーム１３Ａは、支柱１１が有する連結部材１１ａを介して支柱１１と連結されている。これによって、屋根１２は、支柱１１により、長手方向Ｙの片側のみが支持された状態となっている。もっとも、屋根１２は、両側で支持されるようになっていても良い。
【００２２】
また、屋根１２は、長手方向フレーム１３Ｂから長手方向フレーム１３Ａ（支柱側）へ向かって徐々に低くなるように所定の傾斜が設けられている。これによって、屋根の上に落下した雨や雪（水）は、支柱側へ移動し、図示しない雨樋を通じて排水される。
【００２３】
長手方向フレーム１３Ａ及び１３Ｂは、短手方向フレーム１４Ａ及び１４Ｂと直交方向で連結されている。これによって、屋根１２を画定する矩形が形成されている。各中間フレーム１５は、短手方向に配置されて長手方向フレーム１３Ａと１３Ｂとを連結している。
【００２４】
短手方向フレーム１４Ａ（１４Ｂ）と中間フレーム１５との間、中間フレーム１５間の夫々には、屋根基板１６が、屋根の長手方向Ｙに直列配置されている。屋根基板１６は、幅方向ｘ及び長手方向ｙ（図４）を有する長方形の平板パネルである。各屋根基板１６は、その幅方向ｘを屋根１２の長手方向Ｙに一致させて、直列に配置されている。
【００２５】
各屋根基板１６の幅方向ｘ及び長手方向ｙの各端部（外縁）は、長手方向フレーム１３Ａ，１３Ｂ，短手方向フレーム１４Ａ，１４Ｂ，及び中間フレーム１５の内部に収容され、フレーム内部でネジ，ボルト及びナット，リベットのような固定具により固定されている。もっとも、屋根基板１６のフレームに対する固定方法は、上記以外の方法を適宜利用可能である。屋根基板１６の材質としては、ポリカーボネート，アルミニウム，プラスチック板の両面をアルミ板で挟んだもの、などが適用される。
【００２６】
各屋根基板１６の上面には、太陽電池パネル１７が取り付けられている。図１（Ａ）に示す例では、全ての屋根基板１６上に太陽電池パネル１７が設置されている。もっとも、所望電力に応じて、少なくとも１つの屋根基板１６上に太陽電池パネル１７を取り付けることができる。
【００２７】
また、所定の屋根基板１６の下面側には、有機ＥＬ照明パネル１８が取り付けられている。図１（Ａ）に示す例では、有機ＥＬ照明パネル１８は、二つの屋根基板１６に取り付けられている。もっとも、建築物１０の利用態様に応じて、少なくとも１つの屋根基板１６に取り付けられていれば良い。
【００２８】
図２は、上記した屋根１２を構成するフレームに取り付けられる屋根部材の構成例を示す。図２において、屋根部材は、屋根基板１６と、屋根基板１６の上面に取り付けられた太陽電池パネル１７と、屋根基板１６の下面側に取り付けられるシート状のポリマー電池（リチウムポリマー電池）１９と、シート状の有機ＥＬ照明パネル１８とを備える。
【００２９】
ポリマー電池１９は、屋根基板１６と有機ＥＬ照明パネル１８との間に挟まれた状態で、屋根基板１６の下面に取り付けられる。ポリマー電池１９は、有機ＥＬ照明パネル１８に対するバッテリ（二次電池）として用いられる。ポリマー電池１９及び有機ＥＬ照明パネル１８の双方は、柔軟性を有するシート状に形成されており、屋根基板１６の下面形状に応じて変形させた状態で屋根基板１６に取り付けることができる。すなわち、屋根基板１６の下面が平面である場合のみならず、下面が曲面である場合にも、密着する状態で取り付けることが可能である。
【００３０】
なお、ポリマー電池１９を適用すれば、屋根部材の一部としてバッテリを屋根基板１６と一体に構成することができる点で好ましいが、ポリマー電池１９の代わりに通常のバッテリが用いられていても良い。この場合、有機ＥＬ照明パネル１８は、屋根基板１６の下面にとりつけられる。
【００３１】
なお、太陽電池パネル１７の屋根基板１６に対する取り付け方法は、接着剤を用いて貼り付けたり、ネジ，ボルト及びナット，リベットのような固定具を用いて固定したり、既存のあらゆる固定方法を適用できる。また、ポリマー電池１９，有機ＥＬ照明パネルも太陽電池パネルと同様の取り付け方法により取り付けることができる。
【００３２】
＜使用しうる太陽電池パネルの詳細な説明＞
太陽電池パネル１７は、複数個の太陽電池素子（太陽電池セル）が直列接続されてなる太陽電池セル系列が並列接続されてパネルとして構成されるものである。
【００３３】
図３は、太陽電池パネル１７の断面構造を模式的に示す。図３に示されるように、太陽
電池素子４１の受光面側（矢印方向）及び非受光面側の双方に、任意で形成可能な封止材層４２、４３を介し、表面、裏面側の保護層４４，４５を備えている。必要に応じてガスバリア層、ゲッター材層など他の層を任意の場所に設けてもよい。
【００３４】
太陽電池素子４１は、通常、少なくとも一対の電極４１ａ，４１ｂで発電層（光電変換層）４１ｃを挟んでなる。発電層４１ｃと電極４１ａ，４１ｂの間にバッファー層を介していてもよい。電極４１ａ，４１ｂは取り出し電極に接続され、発生した電力が外部に取り出せるように構成されている。
【００３５】
発電層４１ｃの種類に制限はないが、薄膜単結晶シリコン、薄膜多結晶シリコン、アモルファスシリコン、無機半導体材料、色素及び、有機半導体材料などを好ましく用いることができる。これらは発電効率が比較的高く、薄膜軽量化できるため好ましい。特に、有機半導体材料を用いた有機太陽電池（有機薄膜太陽電池）やフィルム基板を用いたアモルファスシリコンを発電材料とする太陽電池パネルは、或る程度曲げることができるので、屋根基板が曲面を有する場合に、その曲面に沿って密着するように取り付け可能であり、さらに少々曲げても割れたりクラックが入ったりしないことから大きく軽量化できる点でより好ましい。
【００３６】
発電層４１ｃとして薄膜多結晶シリコンを用いる薄膜多結晶シリコン太陽電池素子は間接光学遷移を利用したタイプの太陽電池素子である。このため、薄膜多結晶シリコン太陽電池素子では基板又は表面に凸凹構造を形成するなど十分な光閉じ込め構造を設けて光吸収を増加させるのが好ましい。薄膜多結晶シリコンはＣＶＤ法などの常法により基板上に成膜し形成することができる。
【００３７】
発電層４１ｃとしてアモルファスシリコンを用いるアモルファスシリコン系太陽電池素子は、結晶シリコンにおける間接光学遷移が構造乱れのために直接遷移となったものであり、可視域での光学吸収係数が大きく、厚さ１μｍ程度の薄膜でも太陽光を十分に吸収できる長所を有する。このため、太陽電池素子４１としてアモルファスシリコン系太陽電池素子を用いれば、更に軽量な太陽電池パネルを実現することができる。また、アモルファスシリコンは非結晶質の材料であるため、変形にも耐性を有しフレキシブル化しうる。
【００３８】
発電層４１ｃとして無機半導体材料（化合物半導体）を用いる化合物半導体系太陽電池素子は発電効率が高く好ましい。なかでもＳ、Ｓｅ、Ｔｅなどカルコゲン元素を含むカルコゲナイド系発電層が好ましく、更にＩ−III−VI2族半導体系（カルコパイライト系）発電層が好ましく、特にＩ族元素としてＣｕを用いたＣｕ−III−VI2族半導体系発電層は理論的に極めて高い光電変換効率を有し好ましい。中でも特にＣＩＳ系半導体及びＣＩＧＳ系半導体が好ましい。ＣＩＳ系半導体はＣｕＩｎ（Ｓｅ1-yＳy）2（０≦ｙ≦１）を指し
、ＣＩＧＳ系半導はＣｕ（Ｉｎ1-xＧａx）（Ｓｅ1-yＳy）2を指す（０＜ｘ＜１、０≦ｙ
≦１）。発電層として例えば酸化チタン層及び電解質層などからなる色素増感型発電層も、発電効率が高く好ましい。色素増感型太陽電池は電解質が液体の場合には特にガラス基板を用いない場合は封止が難しく耐久性が十分では無い場合がある。
【００３９】
また、発電層４１ｃとして有機半導体材料を用い、有機太陽電池素子としてもよい。有機半導体材料はｐ型半導体とｎ型半導体からなる。ｐ型半導体は特に限定されず、低分子材料と高分子材料が挙げられる。低分子系材料としては例えば、ナフタセン、ペンタセン、ピレン、フラーレン等の縮合芳香族炭化水素；α−セキシチオフェン等のチオフェン環を４個以上含むオリゴチオフェン類；チオフェン環、ベンゼン環、フルオレン環、ナフタレン環、アントラセン環、チアゾール環、チアジアゾール環、ベンゾチアゾール環を合計４個以上連結したもの；銅フタロシアニン、亜鉛フタロシアニン、パーフルオロ銅フタロシアニン等のフタロシアニン化合物、テトラベンゾポルフィリンやその金属錯体等のポルフィリン化合物及びその金属塩等の大環状化合物などが挙げられる。
【００４０】
高分子材料としては例えば、ポリチオフェン、ポリフルオレン、ポリチエニレンビニレン、ポリアセチレン、ポリアニリン等の共役高分子；アルキル置換されたオリゴチオフェン等の高分子半導体が挙げられる。
【００４１】
ｎ型半導体としては、特に限定されないが例えば、フラーレン誘導体、キノリノール誘導体金属錯体、縮合環テトラカルボン酸ジイミド類、ターピリジン金属錯体、トロポロン金属錯体、フラボノール金属錯体、ペリノン誘導体、ベンズイミダゾール誘導体、ベンズオキサゾール誘導体、ベンズチアゾール誘導体、オキサジアゾール誘導体、チアジアゾール誘導体、トリアゾール誘導体、アルダジン誘導体、ビススチリル誘導体、ピラジン誘導体、フェナントロリン誘導体、キノキサリン誘導体、ベンゾキノリン誘導体、ビピリジン誘導体、縮合多環芳香族の全フッ化物、単層カーボンナノチューブなどが挙げられる。
【００４２】
電極４１ａ，４１ｂは、導電性を有する任意の材料を１種又は２種以上用いて形成しうる。例えば、白金、金、銀、アルミニウム、クロム、ニッケル、銅、チタン、マグネシウム、カルシウム、バリウム、ナトリウム等の金属あるいはそれらの合金；酸化インジウムや酸化錫等の金属酸化物、あるいはその合金（ＩＴＯ）；ポリアニリン、ポリピロール、ポリチオフェン、ポリアセチレン等の導電性高分子；前記導電性高分子に、塩酸、硫酸、スルホン酸等の酸、ＦｅＣｌ3等のルイス酸、ヨウ素等のハロゲン原子、ナトリウム、カ
リウム等の金属原子などのドーパントを含有させたもの；金属粒子、カーボンブラック、フラーレン、カーボンナノチューブ等の導電性粒子をポリマーバインダー等のマトリクスに分散した導電性の複合材料などが挙げられる。
【００４３】
電極４１ａ，４１ｂには正孔及び電子を捕集するのに適した材料を用いることが好ましい。正孔の捕集に適した電極材料は、例えばＡｕ、ＩＴＯ等の高い仕事関数を有する材料である。一方、電子の捕集に適した電極材料は、例えばＡｌのような低い仕事関数を有する材料である。電極は２層以上積層してもよく、表面処理によって特性（電気特性やぬれ特性等）を改良してもよい。
【００４４】
電極４１ａ，４１ｂの形成方法に制限はない。例えば、真空蒸着、スパッタ等のドライプロセスにより形成することができ、導電性インク等を用いたウェットプロセスにより形成することもできる。導電性インクとしては任意のものを使用することができ、例えば導電性高分子、金属粒子分散液等を用いることができる。
【００４５】
なお、少なくとも太陽電池素子４１の受光面側の電極４１ａは、発電に用いる光を透過させるため、透明であることが好ましい。但し、発電層４１ｃの面積に比べて電極４１ａの面積が小さいなど、電極４１ａが透明でなくても発電性能に著しく悪影響を与えない場合は必ずしも透明でなくてもよい。透明な電極材料を挙げると、例えば、ＩＴＯ、酸化インジウム亜鉛（ＩＺＯ）等の酸化物；金属薄膜などが挙げられる。また、この際、光の透過率の具体的範囲に制限は無いが、太陽電池素子の発電効率を考慮すると８０％以上が好ましい。なお、光の透過率は通常の分光光度計で測定可能できる。
【００４６】
太陽電池素子４１の受光面側には保護層（表面保護層と称する）４４が設けられる。太陽電池素子４１と保護層４４の間には、太陽電池素子４１の封止と保護層４４の接着を目的として封止材層４２を設けてもよい。しかし太陽電池素子４１上に封止材層４２を設けることなく保護層４４を設ける場合は、保護層４４が太陽電池素子の封止機能を兼ねることとなる。
【００４７】
表面保護層４４は、通常、太陽電池パネル１７の最表面に位置し、機械的強度、耐侯性
、耐スクラッチ性、耐薬品性、ガスバリア性などを目的として形成される。具体的強度は、封止材層４２，４３や裏面保護層４５の強度とも関係し一概には言えないが、太陽電池パネル１７全体が良好な曲げ加工性を有し、折り曲げ部分の剥離を生じないような強度を有するのが望ましい。
【００４８】
また表面保護層４４は、太陽電池素子４１の光吸収を妨げない観点から可視光を透過させるものが好ましい。例えば、可視光（波長３６０〜８３０ｎｍ）の光の透過率が８０％以上であることが好ましく、９０％以上であることがより好ましい。
【００４９】
また太陽電池パネル１７は光を受けて熱せられることが多いため、表面保護層４４も耐熱性を有することが好ましく、表面保護層４４の構成材料の融点は、通常１００℃以上、好ましくは１２０℃以上であり、また、通常３５０℃以下、好ましくは３２０℃以下である。
【００５０】
表面保護層４４の材料はこれら特性を考慮して選ぶことができ、特に限定はされないが、例えば、ポリエチレン樹脂、ポリプロピレン樹脂、環状ポリオレフィン樹脂、ＡＳ（アクリロニトリル−スチレン）樹脂、ＡＢＳ（アクリロニトリル−ブタジエン−スチレン）樹脂、ポリ塩化ビニル樹脂、フッ素系樹脂、ポリエチレンテレフタラート、ポリエチレンナフタレート等のポリエステル樹脂、フェノール樹脂、ポリアクリル系樹脂、（水添）エポキシ樹脂、各種ナイロン等のポリアミド樹脂、ポリイミド樹脂、ポリアミド−イミド樹脂、ポリウレタン樹脂、セルロース系樹脂、シリコーン系樹脂、ポリカーボネート樹脂などが挙げられる。
【００５１】
中でも好ましくはフッ素系樹脂が挙げられ、その具体例を挙げるとポリテトラフルオロエチレン（ＰＴＦＥ）、４−フッ化エチレン−パークロロアルコキシ共重合体（ＰＦＡ）、４−フッ化エチレン−６−フッ化プロピレン共重合体（ＦＥＰ）、２−エチレン−４−フッ化エチレン共重合体（ＥＴＦＥ）、ポリ３−フッ化塩化エチレン（ＰＣＴＦＥ）、ポリフッ化ビニリデン（ＰＶＤＦ）及びポリフッ化ビニル（ＰＶＦ）等が挙げられる。
【００５２】
なお、表面保護層４４は２種以上の材料で形成されていても良い。また表面保護層４４は、単層であっても、２層以上からなる積層体であってもよい。
【００５３】
表面保護層４４の厚みは特に規定されないが、通常１０μｍ以上、好ましくは１５μｍ以上、より好ましくは２０μｍ以上であり、また、通常２００μｍ以下、好ましくは１８０μｍ以下、より好ましくは１５０μｍ以下である。厚みを厚くすることで機械的強度が高まる傾向にあり、薄くすることで柔軟性が高まる傾向にある。但し表面保護層４４が封止材層を兼ねる場合には、表面保護層の厚みは通常１００μｍ以上、好ましくは１５０μｍ以上、より好ましくは２００μｍ以上であり、また、通常３ｍｍ以下、好ましくは１．５ｍｍ以下、より好ましくは１ｍｍ以下である。
【００５４】
封止材層４２，４３は、通常、太陽電池素子４１の封止と太陽電池素子４１と保護層４４，４５との接着を目的として設けられるが、機械的強度、耐侯性、ガスバリア性などの向上にも寄与している。また少なくとも受光面側の封止材層４２は表面保護層４４と同様、可視光を透過させ、耐熱性の高いものが好ましい。
【００５５】
封止材層４２，４３の材料はこれら特性を考慮して選ぶことができ、特に限定はされないが、例えば、エチレン−酢酸ビニル共重合体（ＥＶＡ）樹脂、ポリオレフィン系樹脂、ＡＳ（アクリロニトリル−スチレン）樹脂、ＡＢＳ（アクリロニトリル−ブタジエン−スチレン）樹脂、ポリ塩化ビニル樹脂、フッ素系樹脂、ポリエチレンテレフタラート、ポリエチレンナフタレート等のポリエステル樹脂、フェノール樹脂、ポリアクリル系樹脂、（
水添）エポキシ樹脂、各種ナイロン等のポリアミド樹脂、ポリイミド樹脂、ポリアミド−イミド樹脂、ポリウレタン樹脂、セルロース系樹脂、シリコーン系樹脂、ポリカーボネート樹脂などが挙げられる。
【００５６】
中でも好ましくはエチレン系共重合体樹脂が挙げられ、より好ましくはエチレン−酢酸ビニル共重合体（ＥＶＡ）樹脂またはエチレンと他のオレフィンとの共重合体からなるポリオレフィン系樹脂が挙げられる。例えば、プロピレン・エチレン・α−オレフィン共重合体、エチレン・α−オレフィン共重合体等からなる樹脂等である。
【００５７】
エチレン−酢酸ビニル共重合体（ＥＶＡ）樹脂組成物は、通常、耐候性の向上のために架橋剤を配合して架橋構造を構成させ、ＥＶＡ樹脂とする。架橋剤としては、一般に１００℃以上でラジカルを発生する有機過酸化物が用いられる。例えば、２，５−ジメチルヘキサン；２，５−ジハイドロパーオキサイド；２，５−ジメチル−２，５−ジ（ｔ−ブチルパーオキシ）ヘキサン；３−ジ−ｔ−ブチルパーオキサイド等が挙げられる。有機過酸化物の配合量は、ＥＶＡ樹脂１００重量部に対して通常１〜５重量部である。また架橋助剤を含有させてもよい。
【００５８】
ＥＶＡ樹脂組成物には、接着力向上の目的でシランカップリング剤を含有させたり、安定性を向上させる目的でハイドロキノン等を含有させたりしてもよい。
【００５９】
プロピレン・エチレン・α−オレフィン共重合体としては通常、プロピレン系重合体と軟質プロピレン系共重合体を適切な組成で配合した熱可塑性樹脂組成物が用いられる。
【００６０】
なお、封止材層４２，４３は２種以上の材料で形成されていても良い。また封止材層４２，４３は、単層であっても、２層以上からなる積層体であってもよい。
【００６１】
各封止材層４２，４３それぞれの厚みは、特に限定されないが、通常１００μｍ以上、好ましくは１５０μｍ以上、より好ましくは２００μｍ以上であり、また、通常３ｍｍ以下、好ましくは１．５ｍｍ以下、より好ましくは１ｍｍ以下である。厚みを厚くすることで太陽電池パネル１７の機械的強度が高まる傾向にあり、薄くすることで柔軟性が高まりまた可視光の透過率が向上する傾向にある。
【００６２】
これら表面保護層４４及び／又は封止材層４２は、予めフィルム・シート状に形成しておいたものを圧着、液状樹脂を塗布・印刷成膜、液状樹脂の注型成形など、従来公知の方法により形成することができる。
【００６３】
非受光面側には保護層（裏面保護層と称する）４５が設けられる。裏面保護層４５は支持部材、基板としての機能も有するため機械的強度が高く、耐候性、耐熱性、耐水性等に優れると同時に軽量であることが好ましく、また太陽電池パネル１７の設置部位の変形に追従して変形できるものが好ましい。
【００６４】
裏面保護層４５を形成する材料としては、例えば、ガラス、サファイア、チタニア等の無機材料；ポリエチレンテレフタレート樹脂、ポリエチレンナフタレート樹脂、ポリエーテルスルホン樹脂、ポリイミド樹脂、（水添）エポキシ樹脂、ナイロン樹脂、ポリスチレン樹脂、ポリビニルアルコール樹脂、エチレンビニルアルコール共重合体、フッ素樹脂フィルム、塩化ビニル樹脂、ポリエチレン樹脂、セルロース樹脂、ポリ塩化ビニリデン樹脂、アラミド樹脂、ポリフェニレンスルフィド樹脂、ポリウレタン樹脂、ポリカーボネート樹脂、ポリアリレート樹脂、ポリノルボルネン樹脂等の有機材料；紙、合成紙等の紙材料；ステンレス、チタン、アルミニウム等の金属に、耐腐食性や絶縁性を付与するために表面をコート或いはラミネートしたもの等の複合材料；などが挙げられる。なお、裏面保護層４５の材料は２種以上を任意の組み合わせ及び比率で併用しても良い。
【００６５】
太陽電池パネル１７は石飛び、立木等との接触などに曝される虞があり、また衝突時の安全性の観点から割れにくいことが望ましい。従って基材層としては金属を含む複合材料、有機材料、紙材料などが好ましい。
【００６６】
軽量かつフレキシブルであるという点で有機材料がより好ましい。更にこれら有機材料に無機繊維（炭素繊維、ガラス繊維、セラミックス繊維等）、有機繊維（アラミド、ポリエステル、ポリアミド、高強度ポリプロピレン、ポリパラフェニレンベンゾビスオキサゾール等）、金属繊維（ボロン、チタン、スチール等）などの繊維を含ませ、機械的強度を上げてもよい。この補強により軽量で強靭な太陽電池パネル１７が得られる。
【００６７】
裏面保護層４５の形状に制限は無いが、通常は、板状又はフィルム状のものを用いる。また、裏面保護層４５を板状に成形する場合、裏面保護層４５は平板状に形成しても良いが、屋根基板１６の装着部分の形状に応じて湾曲や凹凸のある形状に形成しても良い。
【００６８】
また、裏面保護層４５には太陽電池パネル１７を屋根基板１６に装着するため、必要に応じて取付部材が設けられていてもよい。
【００６９】
裏面保護層４５の寸法に制限は無いが、厚みは通常１２μｍ以上、好ましくは２０μｍ以上である。強度、操作性などの観点からである。また、通常２３ｍｍ以下、好ましくは２０ｍｍ以下である。軽量化、可撓性及び加工性などの観点からである。
【００７０】
図４は、太陽電池パネル１７の構成例を示す図である。図４において、太陽電池パネル１７は、図３に示した裏面保護層４５として機能するフレキシブルな基板上に、封止層４３，太陽電池素子群，封止層４２，及び表面保護層４４を積層することで形成されている。基板は、幅方向及び長手方向を有する長方形に形成されている。
【００７１】
図４に示す例では、太陽電池パネル１７は、基板上に設置された第１太陽電池モジュール１７Ａ，第２太陽電池モジュール１７Ｂ及び端子ボックス１７Ｃを備えている。
【００７２】
第１太陽電池モジュール１７Ａは、太陽電池パネル１７（基板）の長手方向に並べて配置された１６系列の太陽電池セル系列からなる。各太陽電池セル系列は、３０個の太陽電池素子（太陽電池セル）が直列に接続されてなる。
【００７３】
第２太陽電池モジュール１７Ｂは、第１太陽電池モジュール１７Ａと同様に、太陽電池パネル１７の長手方向に並べて配置された１６の太陽電池セル系列を有し、各太陽電池セル系列は、直列接続された太陽電池素子（太陽電池セル）からなる。
【００７４】
第１及び第２太陽電池モジュール１７Ａ，１７Ｂにおいて、各太陽電池セル系列は並列接続されており、第１及び第２太陽電池モジュール１７Ａ，１７Ｂからの出力は、端子ボックス１７Ｃに接続されている。
【００７５】
端子ボックス１７Ｃは、太陽電池パネル１７に対する入力端子と出力端子とを収容しており、入力端子及び出力端子は給電線１７Ｄを介してポリマー電池１９と接続されている。太陽電池パネル１７は、有機ＥＬ照明パネル１８の電源として利用される。
【００７６】
なお、図４に示す例では、１６の太陽電池セル系列を有する太陽電池パネル１７を図示したが、太陽電池セル系列の数は、太陽電池パネル１７から所望の出力電圧を得られる限り、適宜設定可能である。また、図４に示す例のように、一つの太陽電池パネル１７が複
数の太陽電池モジュールを備えることは必須の要件でなく、少なくとも１つの太陽電池モジュールを備えていれば良い。また、直列接続される太陽電池セルの数（セル段数）は、所望のセル系列当たりの出力電圧に応じて適宜設定可能である。
【００７７】
＜＜屋根基板に対する太陽電池パネルの取り付け＞＞
図５は、屋根基板１６に取り付けられた太陽電池パネル１７を模式的に示す図である。図５に示す太陽電池パネル１７は、図４に示した太陽電池パネルより簡略化して図示されており、太陽電池モジュール数（１つ），セル系列数（８系列），及びセル段数（１０段）が図４の例と異なっている。
【００７８】
図５において、太陽電池パネル１７は、屋根基板１６に対し、その幅方向及び長手方向を屋根基板１６の幅方向ｘ及び長手方向ｙと一致させて屋根基板１６の上面に取り付けられる。従って、太陽電池パネル１７が備える各太陽電池セル系列は、屋根１２の長手方向Ｙ（図１（Ａ））に配置される。
【００７９】
太陽電池セル系列が屋根１２の長手方向Ｙ（屋根基板１６の幅方向ｘ）に配置される理由を、図６を用いて説明する。図６（Ａ）は、図５に示した屋根部材１６に取り付けられた太陽電池パネル１７の作用説明図である。図６（Ｂ）は、図６（Ａ）の比較例を示す。図６（Ｂ）には、比較例での太陽電池パネルは、複数（図６（Ｂ）では８）の太陽電池セル系列を有し、各太陽電池セル系列が屋根基板（太陽電池パネル１７）の長手方向に配置されている。
【００８０】
図６（Ａ）及び（Ｂ）に示す屋根基板１６の長手方向の下端が図１（Ａ）及び（Ｂ）を用いて説明した支柱側に位置すると仮定する。屋根１２に降った雪は、屋根１２に設けられた傾斜により、支柱側に移動し、やがて破線で囲まれた領域Ｓに滞留すると仮定する。このとき、領域Ｓと重なる（雪で覆われた）部分の太陽電池素子は、受光できない状態となり、発電を行うことができない。
【００８１】
ここで、図６（Ｂ）に示すように、太陽電池セル系列が屋根基板１６の長手方向ｙに配置されていると、領域Ｓと重なる部分の太陽電池素子は単なる抵抗として作用し、領域Ｓと重ならない部分に位置する太陽電池素子の発電を阻害し、結果として電流が流れない。よって、端子ボックス１７Ｃから太陽電池パネルの出力を取り出すことができない。
【００８２】
これに対し、図６（Ａ）に示すように、太陽電池セル系列が屋根基板１６の幅方向ｘに配置されていると、領域Ｓと重なる部分の太陽電池素子（図６（Ａ）では太陽電池セル系列６〜８）では発電が行われないものの、残りの太陽電池セル系列１〜５では正常な発電が行われる。よって、図６（Ｂ）の比較例に比べて適正に太陽電池パネル１７の出力を端子ボックス１７Ｃから取り出すことができる。
【００８３】
よって、屋根基板１６の幅方向ｘに複数の太陽電池セル系列が並列配置されることで、適正に太陽電池の出力を得ることができる。
【００８４】
また、太陽電池セル系列を屋根基板１６の長手方向ｙに配置する場合には、図６（Ｂ）とは異なるが、太陽電池セル系列の数が少なくなる一方で、１つの太陽電池セル系列のセル段数が増加すると考えられる。この場合、太陽電池パネルの出力電圧は、同一の太陽電池セル数で図６（Ａ）に示すような太陽電池セル配列を構成した場合に比べて大きくなると考えられる。
【００８５】
ここで、太陽電池パネルの出力をＤＣ−ＤＣコンバータを介して直接的に有機ＥＬ照明パネルに供給すると仮定した場合、有機ＥＬ照明の駆動電圧と太陽電池パネルの出力電圧
との差は、太陽電池セル系列を屋根基板１６の長手方向に配置した場合の方が大きくなる。電圧差が小さいほど、ＤＣ−ＤＣコンバータの構成を簡易にすることが可能である。この点でも、屋根基板１６の幅方向ｘに太陽電池セル系列を並列配置した方が有利となる。
【００８６】
＜＜回路構成＞＞
図７は、有機ＥＬ照明パネル１８を発光させる駆動回路の構成例を示す。図７において、駆動回路は、有機ＥＬ照明パネルの電源として商用電源（１００Ｖ，５０または６０Ｈｚ）２０を利用する第1の電力供給系と、有機ＥＬ照明パネル１８の電源としてポリマー電池１９（以下、バッテリ１９と表記）を用いる第二の電力供給系とを備える。
【００８７】
第１の電力供給系は、商用電源２０からの交流電圧を直流電圧に変換するインバータ２１と、インバータ２１から出力される直流電圧を有機ＥＬ照明パネル１８の駆動電圧（直流）に変換するＤＣ−ＤＣコンバータ（直流変換器）２２とを備えており、ＤＣ−ＤＣコンバータ２２からの直流電圧が給電線２３を介して有機ＥＬ照明パネル１８の端子（電極：陰極及び陽極）に印加されることで、有機ＥＬ照明パネル１８の電子輸送層からの電子及び正孔輸送層の正孔が発光層で結合し、発光層で生じた光が照明光として照射されるようになっている。有機ＥＬ照明パネル１８は、面発光による拡散光を照明光として照射することができる。
【００８８】
第２の電力供給系は、太陽電池パネル１７で発電された電力を給電線１７Ｄを介して蓄電するバッテリ（ポリマー電池）１９と、バッテリ１９からの直流出力電圧を有機ＥＬ照明パネルの駆動電圧に変換するＤＣ−ＤＣコンバータ２４とを備える。ＤＣ−ＤＣコンバータ２４からの駆動電力は、有機ＥＬ照明パネル１８に印加され、上述したような発光作用により、照明光を照射する。
【００８９】
商用電源２０とバッテリ１９との間には、切替スイッチ２５及び充電器２６が設けられており、切替スイッチ２５が商用電源２０とバッテリ１９とを接続する状態となることで、バッテリ１９に対し、商用電源２０を用いた充電器２６による充電と、太陽電池パネル１８による充電とが行われる。一方、有機ＥＬ照明パネル１８は、バッテリ１９からの電力で駆動される。
【００９０】
これに対し、切替スイッチ２５により商用電源２０と充電器２６との間が開放状態となるときには、バッテリ１９は太陽電池パネル１７からの電力で充電される。一方、有機ＥＬ照明パネル１８は、商用電源２０からの電力で駆動される。
【００９１】
制御装置２７は、切替スイッチ２５の状態を検知して、商用電源２０とインバータ２１との接続状態の場合には、バッテリ１９とＤＣ−ＤＣコンバータ２４との間に設けられたスイッチ２８をオフにして、バッテリ１９からの放電を抑止する。一方、制御装置２７は、商用電源２０とバッテリ１９との接続状態の場合には、照度センサ２９による照度測定を行い、照度が所定の閾値を下回った場合に、スイッチ２８をオンにして、有機ＥＬ照明パネル１８による照明が行われるようにすることができる。
【００９２】
さらに、各ＤＣ−ＤＣコンバータ２２，２４と有機ＥＬ照明パネル１８との間には、図示しない主電源スイッチ（有機ＥＬ照明のオン／オフスイッチ）が設けられており、主電源スイッチがオンの時に、有機ＥＬ照明パネル１８による照明が行われる。
【００９３】
なお、有機ＥＬ照明パネルの電源は、バッテリ１９のみとすることができる。この場合には、図７に示す第１の電力供給系に係る構成要素及び充電器２６は省略が可能である。このとき、制御装置２７による切替スイッチ２５の状態検知の構成も不要となる。また、制御装置２７，スイッチ２８，及び照度センサ２９も必須の構成要素ではなく、有機ＥＬ
照明の主電源のみで有機ＥＬ照明パネル１８のオンオフを制御（操作）することができる。
【００９４】
＜＜変形例＞＞
図１（Ａ）（Ｂ）には、カーポートやサイクルポートに適用される建築物１０を例示したが、実施形態に係る屋根部材は、バス停や通路のシェルターとして利用される建築物にも適用が可能である。
【００９５】
図８（Ａ）は、シェルターとしての建築物１０Ａの平面図を模式的に示し、図８（Ｂ）は、建築物１０Ａの正面図を模式的に示す。図１との相違点は主として以下の通りである。すなわち、屋根１２は、その長手方向Ｙの両側において複数の支柱１１により支持されている。また、屋根１２の断面形状（端面形状）は、中心部分が最も高く、幅方向端部に向かって徐々に低くなる曲面（アーチ型）で形成されている。これに伴い、各屋根基板１６は、曲面を有する板状に形成されている。他の構成は、図１〜図７に示したものを適宜適用することができる。太陽電池パネル１７は、可能な限り高い位置に配置されるように、例えば屋根基板１６の中央部にとりつけられる（図８（Ｂ）参照）。もっとも、屋根部材の最も高い位置、例えば、図８（Ａ）に示す屋根であれば、長手方向の中心線を基準として、太陽電池パネル１７が中心線の両側に配置されるようにしても良い。
【００９６】
以上説明した実施形態によれば、カーポート，サイクルポート，シェルターとして用いられる簡易構造の建築物１０，１０Ａに対し、太陽電池を電源とする有機ＥＬ照明を設けることで、建築物の利便性を高めることができる。このとき、有機ＥＬ照明は、面発光が可能であり、拡散光を照射することができ、電力発光効率が高く、曲面に追随可能で曲げても割れないことから軽量化が可能であり、これらの建築物の利用目的に応じ最適な照明を提供することができる。また、有機ＥＬ照明は、ＬＥＤのような指向性光源ではないため、導光板が不要であり、フィルム基板等を用いた柔軟性を持つパネル構造を採用することで、屋根基板１６と一体に形成でき、屋根基板１６が平面であっても曲面であっても適正に取り付けることができる。
【００９７】
また、太陽電池パネル１７は、各太陽電池セル系列が屋根基板１６の幅方向（屋根１２の長手方向）に並列配置されるので、雪や枯れ葉などの落下物が太陽電池パネル１７の一部を覆ったとしても、発電が大幅に阻害されることを防止できる。
【符号の説明】
【００９８】
１０，１０Ａ・・・建築物
１１・・・支柱
１２・・・屋根
１３Ａ，１３Ｂ・・・長手方向フレーム
１４Ａ，１４Ｂ・・・短手方向フレーム
１５・・・中間フレーム
１６・・・屋根基板
１７・・・太陽電池パネル
１７Ａ・・・第１太陽電池モジュール
１７Ｂ・・・第２太陽電池モジュール
１７Ｃ・・・端子ボックス
１７Ｄ・・・給電線
１８・・・有機ＥＬ照明パネル
１９・・・ポリマー電池
２０・・・商用電源
２１・・・インバータ
２２，２４・・・ＤＣ−ＤＣコンバータ
２３・・・給電線
２５・・・切替スイッチ
２６・・・充電器
２７・・・制御装置
２８・・・スイッチ
２９・・・照度センサ
４１・・・太陽電池素子
４１ａ，４１ｂ，４１ｃ・・・電極
４２，４３・・・封止材層
４４，４５・・・保護層
【図１】
2012062737.tif 000003
【図２】
2012062737.tif 000004
【図３】
2012062737.tif 000005
【図４】
2012062737.tif 000006
【図５】
2012062737.tif 000007
【図６】
2012062737.tif 000008
【図７】
2012062737.tif 000009
【図８】
2012062737.tif 000010